(57)【要約】  無線通信装置（１０２）を動作させる方法は、無線通信装置（１０２）と通信ネットワーク（９０）のネットワークノード（１０１）の間の無線リンク（１１１）のチャネル測定を実行する工程を含む。また、前記方法は、通信ネットワーク（９０）にアクセスするためのランダムアクセス手順（６０００）の一部として、チャネル測定の測定レポート（１６０）を伝達するアップリンクメッセージ（６００３）をネットワークノード（１０１）に送信する工程も含む。また、前記方法は、ネットワークノード（１０１）に、アップリンクメッセージ（６００３）が測定レポート（１６０）を伝達するか否かに関する標示（１９０）を提供する工程も含む。【特許請求の範囲】
【請求項１】
無線通信装置（１０２）を動作させる方法であって、
前記無線通信装置（１０２）と通信ネットワーク（９０）のネットワークノード（１０１）の間の無線リンク（１１１）のチャネル測定を実行する工程と、
通信ネットワーク（９０）にアクセスするためのランダムアクセス手順（６０００）の一部として、前記チャネル測定の測定レポート（１６０）を伝達するアップリンクメッセージ（６００３）を前記ネットワークノード（１０１）に送信する工程と、
前記ネットワークノード（１０１）に、前記アップリンクメッセージ（６００３）が前記測定レポート（１６０）を伝達するか否かに関する標示（１９０）を提供する工程と、を含む方法。
【請求項２】
前記標示（１９０）は、前記アップリンクメッセージ（６００３）に対応付けられたトランスポートブロックの所定の構成を実装する工程を含む、請求項１に記載の方法。
【請求項３】
前記トランスポートブロックの構成は、前記トランスポートブロックのサイズ及び前記トランスポートブロックの分割のうち少なくとも１つを含む、請求項２に記載の方法。
【請求項４】
前記標示（１９０）は、前記ランダムアクセス手順（６０００）の一組のランダムアクセスプリアンブル又はランダムアクセスプリアンブルリソースの分割を含む、請求項１〜３のいずれか１つに記載の方法。
【請求項５】
前記標示（１９０）は、前記ランダムアクセス手順（６０００）を開始する前に、前記無線通信装置（１０２）から前記通信ネットワーク（９０）への第３層のアップリンク制御信号伝達を含む、請求項１〜４のいずれか１つに記載の方法。
【請求項６】
前記アップリンクメッセージ（６００３）は、トリガー基準に応じて、前記測定レポート（１６０）を選択的に伝達する、請求項１〜５のいずれか１つに記載の方法。
【請求項７】
前記トリガー基準は、前記通信ネットワーク（９０）から受信した測定リクエスト（１６９）を含む、請求項６に記載の方法。
【請求項８】
前記測定リクエストは、前記ランダムアクセス手順（６０００）を開始する前に受信される、請求項７に記載の方法。
【請求項９】
前記測定リクエスト（１６９）は、前記ランダムアクセス手順（６０００）のダウンリンクメッセージ（６００２）であって、前記アップリンクメッセージ（６００３）を送信する前に前記無線通信装置（１０２）によって受信されるダウンリンクメッセージにおいて、受信される、請求項７に記載の方法。
【請求項１０】
前記チャネル測定は、前記測定リクエストを伝達する前記ダウンリンクメッセージ（６００２）の受信に応じて実行される、請求項９に記載の方法。
【請求項１１】
前記トリガー基準は、所定の基準を満たす前記チャネル測定の結果を含む、請求項６〜１０のいずれか１つに記載の方法。
【請求項１２】
前記アップリンクメッセージ（６００３）が前記測定レポート（１６０）を伝達するか否かに応じて、前記ランダムアクセス手順（６０００）のダウンリンクメッセージ（６００２）と前記アップリンクメッセージ（６００３）の間の時間間隔（６６０２）を設定する工程をさらに含む、請求項６〜１１のいずれか１つに記載の方法。
【請求項１３】
前記時間間隔（６６０２）は前記通信ネットワーク（９０）により設定される、請求項１２に記載の方法。
【請求項１４】
前記アップリンクメッセージ（６００３）は、アップリンクデータ（１６１）をさらに伝達し、
前記測定レポート（１６０）は、前記アップリンクデータ（１６１）に差し込まれる、又は前記アップリンクデータに付加される、請求項１〜１３のいずれか１つに記載の方法。
【請求項１５】
前記アップリンクメッセージ（６００３）は、アップリンクデータ（１６１）をさらに伝達し、
前記アップリンクデータ（１６１）に基づいて、所定のテーブルからトランスポートブロックサイズ（６００）を選択する工程と、
前記トランスポートブロック（６００）の部分（６０１）を前記測定レポート（１６０）に、前記トランスポートブロック（６００）のさらなる部分（６０２）を前記アップリンクデータ（１６１）に割り当てる工程と、
をさらに含む、請求項１〜１４のいずれか１つに記載の方法。
【請求項１６】
前記チャネル測定は、前記無線リンク（１１１）のチャネル帯域幅の部分として定義された前記無線リンク（１１１）のナローバンドにおいて実行される、請求項１〜１５のいずれか１つに記載の方法。
【請求項１７】
前記ランダムアクセス手順（６０００）のダウンリンクメッセージは、前記ナローバンド上で受信される、請求項１６に記載の方法。
【請求項１８】
前記ナローバンドは、前記通信ネットワーク（９０）により構成される、請求項１６又は１７に記載の方法。
【請求項１９】
前記ランダムアクセス手順（６０００）のダウンリンクメッセージの複数回繰り返しを受信する工程と、
前記複数回繰り返しの前記受信を完了する前に、初期の復号の試みを実行する工程と、をさらに含み、
前記チャネル測定は、前記初期の復号の試みの結果に基づいて実行される、
請求項１〜１８のいずれか１つに記載の方法。
【請求項２０】
前記測定レポートは、基準信号受信電力（Reference  Signal  Received  Power：ＲＳＲＰ）、基準信号受信品質（Reference  Signal  Received  Quality：ＲＳＲＱ）、チャネル品質標示（Channel  Quality  Indication：ＣＱＩ）、及びカバレッジ拡張繰り返しの数の少なくとも１つを含む、請求項１〜１９のいずれか１つに記載の方法。
【請求項２１】
前記標示は、前記測定レポート（１６０）を伝達する前記アップリンクメッセージを前記無線通信装置が送信することができるか否かを示す、請求項１〜２０のいずれか１つに記載の方法。
【請求項２２】
通信ネットワーク（９０）のネットワークノード（１０１）を動作させる方法であって、
前記通信ネットワーク（９０）にアクセスする無線通信装置（１０２）のランダムアクセス手順（６０００）の一部として、前記無線通信装置（１０２）によって実行される無線リンク（１１１）のチャネル測定の測定レポート（１６０）を伝達するアップリンクメッセージ（６００３）を、前記無線通信装置（１０２）から受信する工程と、
前記無線通信装置（１０２）から、前記アップリンクメッセージ（６００３）が前記測定レポート（１６０）を伝達するか否かに関する標示（１９０）を取得する工程と、
前記標示（１９０）に従って前記アップリンクメッセージ（６００３）を処理する工程と、を含む方法。
【請求項２３】
前記アップリンクメッセージ（６００３）の前記処理は、
前記アップリンクメッセージ（６００３）の少なくとも２つの所定のトランスポートブロック構成に従った、前記アップリンクメッセージ（６００３）のブラインド復号をさらに含み、
前記少なくとも２つの所定のトランスポートブロック構成のうちの第１の構成は、前記測定レポート（１６０）を伝達する前記アップリンクメッセージ（６００３）に対応付けられ、前記少なくとも２つの所定のトランスポートブロック構成のうちの第２の構成は、前記測定レポート（１６０）を伝達しない前記アップリンクメッセージ（６００３）に対応付けられている、請求項２２に記載の方法。
【請求項２４】
無線通信装置（１０２）であって、
前記無線通信装置（１０２）と通信ネットワーク（９０）のネットワークノード（１０１）の間の無線リンク（１１１）のチャネル測定を実行し、
前記通信ネットワーク（９０）にアクセスするためのランダムアクセス手順（６０００）の一部として、前記チャネル測定の測定レポート（１６０）を伝達するアップリンクメッセージ（６００３）を前記ネットワークノード（１０１）に送信し、
前記ネットワークノード（１０１）に、前記アップリンクメッセージ（６００３）が前記測定レポート（１６０）を伝達するか否かに関する標示（１９０）を提供するように構成される、無線通信装置（１０２）。
【請求項２５】
前記無線通信装置は、請求項１〜２１のいずれか１つに記載の方法を実行するように構成される、請求項２４に記載の無線通信装置。
【請求項２６】
通信ネットワーク（９０）のネットワークノード（１０１）であって、
前記通信ネットワーク（９０）にアクセスする無線通信装置（１０２）のランダムアクセス手順（６０００）の一部として、前記無線通信装置（１０２）によって実行される前記無線リンク（１１１）のチャネル測定の測定レポート（１６０）を伝達するアップリンクメッセージ（６００３）を、前記無線通信装置（１０２）から受信し、
前記無線通信装置（１０２）から、前記アップリンクメッセージ（６００３）が前記測定レポート（１６０）を伝達するか否かに関する標示（１９０）を取得し、
前記標示（１９０）に従って前記アップリンクメッセージ（６００３）を処理するように構成される、ネットワークノード（１０１）。
【請求項２７】
請求項２２又は２３に記載の方法を実行するように構成される、請求項２６に記載のネットワークノード。
【請求項２８】
無線通信装置（１０２）及び通信ネットワークのネットワークノード（１０１）を備えるシステムであって、
前記無線通信装置は、
前記無線通信装置（１０２）と前記ネットワークノード（１０１）の間の無線リンク（１１１）のチャネル測定を実行し、
前記通信ネットワーク（９０）にアクセスするためのランダムアクセス手順（６０００）の一部として、前記チャネル測定の測定レポート（１６０）を伝達するアップリンクメッセージ（６００３）を前記ネットワークノード（１０１）に送信し、
前記ネットワークノード（１０１）に、前記アップリンクメッセージ（６００３）が前記測定レポート（１６０）を伝達するか否かに関する標示（１９０）を提供するように構成され、
前記ネットワークノード（１０１）は、
前記アップリンクメッセージ（６００３）を受信し、
前記標示（１９０）を取得し、
前記標示（１９０）に従って前記アップリンクメッセージ（６００３）を処理するように構成される、システム。
【発明の詳細な説明】
【技術分野】
【０００１】
本発明の様々な例は、概して測定レポートに関する。様々な例は、特に、ランダムアクセス手順の一部としての測定レポートの提供に関する。
【０００２】
無線通信システムにおいて、無線通信装置（端末又はユーザー装置（User  Equipment：ＵＥ）と呼ばれることもある）は、一般的に、ＵＥとアクセスノード（Access  Node：ＡＮ）の間の各無線リンクのチャネル品質を測定する。これは、チャネル測定の実行と呼ばれる。チャネル測定を実行することにより、無線通信のパラメーターを容易に決定することができる。
【０００３】
一般的に、ＵＥは、チャネル測定についてＡＮに通知できる。これは、測定レポートと呼ばれる。ＡＮは、無線通信の１つ以上のパラメーターを設定できる。ＡＮは、通信ネットワークの基地局（Base  Station：ＢＳ）により構築できる。
【０００４】
チャネル測定に応じて設定することができるパラメーターの例には、変調符号化方式（Modulation  and  Coding  Scheme：ＭＣＳ）や、複数のＢＳを含むセルラー通信ネットワークの場合はサービング（在圏）ＢＳが含まれるため、チャネル測定に応じてハンドオーバーが起動されることもあるし、起動されないこともある。
【０００５】
測定レポートの実施態様の例には、基準信号受信電力（Reference  Signal  Received  Power：ＲＳＲＰ）、基準信号受信品質（Reference  Signal  Received  Quality：ＲＳＲＱ）、及び／又はチャネル品質標示（Channel  Quality  Indication：ＣＱＩ）が含まれる。例えば、測定レポートに基づいて、次のデータ送信のために適切なＭＣＳをＢＳが選択することもあり、又は、セルラー通信ネットワークの場合なら、別の近くのＢＳに対してＵＥがハンドオーバーを実行する必要があるか否かを、ＢＳが決定することもある。
【０００６】
時には、ＵＥがアイドルモードで動作することもある。この場合、ＵＥとＡＮの間のデータ接続は維持されず、むしろ解除される。これは、一般的に電力消費を低減するために行われる。データ接続が確立される接続モードでの動作にＵＥを遷移させるには、一般的に様々なステップを実行する必要がある。一般的に、測定レポートは、接続モードで動作するようになったＵＥによってのみ送信される。
【０００７】
様々な技術が基づいている知見として、ＵＥが接続モードで測定レポートを提供する参考の実施態様において、ＵＥの動作を接続モードへと遷移させるのに必要な上記の複数ステップに伴う遅延が大きな影響を持ち得る。
【発明の概要】
【課題を解決するための手段】
【０００８】
したがって、チャネル測定を実行し通知する先進技術が必要とされている。
【０００９】
この必要性は、独立請求項の特徴によって満たされる。従属請求項の特徴は、実施形態を規定する。
【００１０】
無線通信装置を動作させる方法は、無線リンクのチャネル測定を実行する工程を含む。無線リンクは、無線通信装置と通信ネットワークのネットワークノードの間にある。また、上記方法は、通信ネットワークにアクセスするランダムアクセス手順の一部として、ネットワークノードにアップリンクメッセージを送信する工程も含む。アップリンクメッセージは、チャネル測定の測定レポートを伝達する。上記方法は、ネットワークノードに対して、アップリンクメッセージが測定レポートを伝達するか否かに関する標示を提供する工程を、さらに含む。
【００１１】
コンピュータープログラムは、プログラムコードを含む。プログラムコードは制御回路によって実行可能である。プログラムコードを実行することにより、制御回路は、無線通信装置を動作させる方法であって、無線リンクのチャネル測定を実行する工程を含む方法を実行する。無線リンクは、無線通信装置と通信ネットワークのネットワークノードの間にある。また、上記方法は、通信ネットワークにアクセスするためのランダムアクセス手順の一部として、ネットワークノードにアップリンクメッセージを送信する工程も含む。アップリンクメッセージは、チャネル測定の測定レポートを伝達する。上記方法は、ネットワークノードに対して、アップリンクメッセージが測定レポートを伝達するか否かに関する標示を提供する工程を、さらに含む。
【００１２】
また、そのようなプログラムコードを含むコンピュータープログラム製品及びコンピューター可読記憶媒体が提供される。
【００１３】
無線通信装置は、無線通信装置と通信ネットワークのネットワークノードの間の無線リンクのチャネル測定を実行し、通信ネットワークにアクセスするためのランダムアクセス手順の一部として、チャネル測定の測定レポートを伝達するアップリンクメッセージをネットワークノードに送信し、ネットワークノードに対して、アップリンクメッセージが測定レポートを伝達するか否かに関する標示を提供するように構成される。
【００１４】
通信ネットワークのネットワークノードを動作させる方法は、通信ネットワークにアクセスする無線通信装置のランダムアクセス手順の一部として、無線通信装置からアップリンクメッセージを受信する工程を含む。アップリンクメッセージは、無線通信装置により実行される無線リンクのチャネル測定の測定レポートを伝達する。また、上記方法は、アップリンクメッセージが測定レポートを伝達するか否かに関する標示を、無線通信装置から取得する工程も含む。また、上記方法は、標示に従ってアップリンクメッセージを処理する工程も含む。
【００１５】
コンピュータープログラムはプログラムコードを含む。プログラムコードは、制御回路により実行可能である。プログラムコードを実行することにより、制御回路は、通信ネットワークのネットワークノードを動作させる方法であって、無線通信装置が通信ネットワークにアクセスするランダムアクセス手順の一部として、無線通信装置からアップリンクメッセージを受信する工程を含む方法を実行する。アップリンクメッセージは、無線通信装置により実行される無線リンクのチャネル測定の測定レポートを伝達する。また、上記方法は、アップリンクメッセージが測定レポートを伝達するか否かに関する標示を、無線通信装置から取得する工程も含む。また、上記方法は、標示に従ってアップリンクメッセージを処理する工程も含む。
【００１６】
また、そのようなプログラムコードを含むコンピュータープログラム製品及びコンピューター可読記憶媒体が提供される。
【００１７】
通信ネットワークのネットワークノードは、無線通信装置が通信ネットワークにアクセスするランダムアクセス手順の一部として、無線通信装置により実行される無線リンクのチャネル測定の測定レポートを伝達するアップリンクメッセージを無線通信装置から受信し、アップリンクメッセージが測定レポートを伝達するか否かに関する標示を無線通信装置から取得し、該標示に従ってアップリンクメッセージを処理するように構成される。
【００１８】
システムは、無線通信装置及び通信ネットワークのネットワークノードを含む。無線通信装置は、無線通信装置とネットワークノードの間の無線リンクのチャネル測定を実行するように構成される。無線通信装置は、通信ネットワークにアクセスするためのランダムアクセス手順の一部として、チャネル測定の測定レポートを伝達するアップリンクメッセージをネットワークノードに送信するように、さらに構成される。無線通信装置は、ネットワークノードに対して、アップリンクメッセージが測定レポートを伝達するか否かに関する標示を提供するように、さらに構成される。ネットワークノードは、アップリンクメッセージを受信し、前記標示を取得し、該標示に従ってアップリンクメッセージを処理するように構成される。
【００１９】
当然のことながら、上述の特徴及び以下のまだ説明していない特徴は、それぞれ示された組み合わせのみではなく、発明の範囲を逸脱しない範囲で、他の組み合わせでも、又は単独でも用いてもよい。
【図面の簡単な説明】
【００２０】
【図１】図１は、様々な例による通信システムを模式的に示す図である。
【図２】図２は、より詳細に図１の通信システムを模式的に示す図である。
【図３】図３は、様々な例による通信システムを実現できる通信ネットワークを模式的に示す図である。
【図４】図４は、様々な例によるＵＥの動作を模式的に示す図である。
【図５Ａ】図５Ａは、様々な例による方法のフローチャートである。
【図５Ｂ】図５Ｂは、様々な例による方法のフローチャートである。
【図６Ａ】図６Ａは、様々な例による方法のフローチャートである。
【図６Ｂ】図６Ｂは、様々な例による方法のフローチャートである。
【図７】図７は、様々な例によるＵＥとＢＳの間の通信であって、ランダムアクセス手順に付随する通信の信号伝送図である。
【図８】図８は、様々な例によるメッセージを模式的に示す図である。
【図９】図９は、様々な例による方法を模式的に示す図である。
【図１０】図１０は、様々な例による方法を模式的に示す図である。
【発明を実施するための形態】
【００２１】
以下、添付の図面を参照しながら、発明の実施形態を詳細に説明する。当然のことながら、実施形態の以下の説明は、限定する意味で解釈されるべきではない。発明の範囲は、以下に説明する実施形態又は図面によって限定されるものではなく、これらは実例としてのみ解釈されるべきである。
【００２２】
図面は模式的に表現されたものとして見なされるべきであり、図面に示された要素は必ずしも一定の尺度で示されてはいない。むしろ、様々な要素が、その機能及び全体目的が当業者にとって明らかとなるように表現されている。図面に示される、又は本明細書で説明される機能ブロック、装置、構成要素、又はその他の物理単位あるいは機能単位の間のいかなる接続又は結合も、間接的な接続又は結合によって実現されてもよい。また、構成要素間の結合は、無線接続を介して構築してもよい。機能ブロックは、ハードウエア、ファームウエア、ソフトウエア、又はこれらの組み合わせで実現してもよい。
【００２３】
無線リンクによる通信に一般的に関連する技術について説明する。無線リンクは、無線通信システムの２つのノード間に設けることができる。無線リンクは、一般的に、伝送媒体として電磁波又は光を用いる通信システムの２つのノード間の通信リンクに関連することがある。
【００２４】
通例、無線通信システムは、様々なやり方で構築できる。例えば、無線ローカルエリアネットワーク（Wireless  Local  Area  Network：ＷＬＡＮ）通信システム又はＢｌｕｅｔｏｏｔｈ（登録商標）通信システム又はピアツーピア無線通信システムを構築してもよい。また、複数のＵＥが接続できるセルラー通信ネットワークにより、無線通信システムを構築することも可能である。
【００２５】
簡潔にするために、以下では、複数のＵＥが接続可能なセルラー通信ネットワークにより通信システムが構築される技術について説明する。ＵＥは、それぞれのデータ接続を介してセルラー通信ネットワークに接続可能であってもよい。ＵＥは、セルラー通信ネットワークの無線アクセスネットワーク（Radio  Access  Network：ＲＡＮ）の複数のＢＳを介して、セルラー通信ネットワークに接続してもよい。実施態様の例には、第３世代パートナーシッププロジェクト（Third  Generation  Partnership  Project：３ＧＰＰ）ロングタームエボリューション（Long  Term  Evolution：ＬＴＥ）セルラー通信ネットワークが含まれる。しかし、同様の技術を異なる種類及びタイプのセルラー通信ネットワークにすぐに使用してもよく、例えば、近く予定されている３ＧＰＰ新無線（New  Radio：ＮＲ）セルラー通信ネットワーク又はモノのインターネット（Internet  of  Things：ＩＯＴ）通信ネットワークに使用してもよい。ＩＯＴ通信ネットワークは、例えば、ナローバンド（Narrowband：ＮＢ）−ＩＯＴ又はマシン型通信（Machine  Type  Communication：ＭＴＣ）に基づくものである。
【００２６】
以下、一般的に、無線リンクのチャネル測定の実行及び／又は構成に関する技術について説明する。具体的には、ＵＥにおけるチャネル測定の実行及び／又は構成に関する技術について説明する。
【００２７】
チャネル測定は、一般的には、無線リンクによる通信の品質の標示を提供してもよい。例えば、チャネル測定は、無線リンクを介して通信されるデータ又は信号の誤り率、信頼性、フェージング特性、及び／又は経路損失などを導出できてもよい。
【００２８】
通例、チャネル測定は、様々なやり方で実行できる。例えば、ダウンリンク参照信号（パイロット信号と呼ばれることもある）を、ＢＳにより送信してもよく、ＵＥにより受信してもよい。そうすると、ダウンリンク参照信号の受信特性、例えば、振幅及び／又は位相を測定することで、チャネル測定を実行できる。
【００２９】
さらに、以下、チャネル測定を通知することに関する技術について説明する。各測定レポートは、チャネル測定の結果を示す１つ以上の指標によって設定されてもよい。異なる種類及びタイプの測定レポート、例えば、ＲＳＲＰ、ＲＳＲＱ、又はＣＱＩを用いてもよい。例えば、送信プロトコルスタックの物理層について規定された第１層の測定レポートを用いるとよい。また、第２層又は第３層の測定レポートを使用することも可能である。
【００３０】
様々な例によると、ＵＥは、ＵＥと通信ネットワークの間でデータ接続が十分に確立される前に、測定レポートを通信ネットワークに提供できる。測定レポートを、ＵＥを通信ネットワークに接続するためのランダムアクセス（Random  Access：ＲＡ）手順の間に送信してもよい。これを以下では初期測定レポート（Early  Measurement  Report：ＥＭＲ）と呼ぶ。
【００３１】
ＲＡ手順のアップリンク（Uplink：ＵＬ）メッセージは、ＥＭＲを伝達してもよい。例えば、４ステップＲＡ手順を用いてもよい。ここで、チャネル測定レポートを、４ステップＲＡ手順（ＲＡプリアンブルであるＭｓｇ．１、Ｍｓｇ．３についてのＵＬ許可を含むＭｓｇ．２、Ｍｓｇ．３、及びＭｓｇ．４を含む）の４つのメッセージのうちの３番目（Ｍｓｇ．３）によって伝達してもよい。
【００３２】
言い換えると、ＵＥが（まだ）接続モードで動作していない時点で、ＥＭＲを実行することが可能になる。例えば、アイドルモードにあるＵＥの動作を接続モードにあるＵＥの動作に遷移させながら、ＥＭＲを実行することが可能になる。この遷移は、データ接続の設定と対応付けられる。この遷移に、第３層の無線リソース制御（Radio  Resource  Control：ＲＲＣ）制御信号伝達を含めることができる。データ接続及び／又は接続モード動作は、一般的に、無線リンク上の通信に関する送信プロトコルスタックの第３層について規定されている。データ接続は、ペイロード及び／又はより高い階層の制御データ用の１つ以上の論理チャネルを規定してもよい。
【００３３】
一般的に、本明細書に記載の様々な例において、ＥＭＲを、ＤＬ送信効率の改善及びＵＥの消費電力低減に役立ててもよい。
【００３４】
いくつかの例によると、ＥＭＲを、ＲＡ手順のＭｓｇ．３における初期データ送信（Early  Data  Transmission：ＥＤＴ）と共に送信してもよい。ＥＤＴにより、データ接続の設定を完了する前に、ペイロードデータ及び／又は第３層のＲＲＣ制御データの送信が容易になる。ＥＤＴに関する詳細は、3GPP  TSG-RAN  WG1  Meeting#93,  R1-1807971,  Busan,  Korea,  21st-25th  May,  2018,  sections  1.5  and  2.5に記載されている。
【００３５】
様々な例によると、ＥＭＲを選択的に作動させることが可能である。例えば、ＥＭＲを、第１の組のＵＥに対して作動させてもよく、第２の組のＵＥに対して停止させてもよい。これにより、後方互換性を提供できる。例えば、旧バージョンのＵＥは、ＥＭＲを作動させてはいけない。ＢＳの観点から、ＢＳは、第１の組のＵＥからＥＭＲを受信してもよいが、第２の組のＵＥからＥＭＲを受信してはいけない。
【００３６】
ＥＭＲの選択的作動は、異なる複数のＵＥ全体にわたって単に利用可能としてはならない。状況によっては、特定のＵＥに対してＥＭＲを選択的に作動させることも可能である。言い換えると、該特定のＵＥによって送信されたＵＬメッセージが、トリガー基準に応じて、ＥＭＲを伝達していてもよく、伝達していなくてもよい。それによって、要求に応じてＥＭＲを送信することにより、不必要な制御信号が無線リンク上にあることを防ぐことが可能である。例えば、一般的には、特定のＵＥは、時間の経過と共に複数のＲＡ手順を実行する。そのため、ＲＡ手順の特定の場合に応じ、またトリガー基準を考慮して、時にはＥＭＲを作動させ、時にはＥＭＲを停止させることが可能となる。通例、特定のＵＥにおいてＥＭＲを作動させる又は停止させるために、様々なトリガー基準が考えられる。トリガー基準の例は、通信ネットワークから受信するＥＭＲのリクエスト（ＥＭＲリクエスト）及び１つ以上の所定の基準を満たす又は満たさないチャネル測定の結果を含む。基準の例は、ある所定の閾値よりも下がったＲＳＲＰなどを含んでもよい。
【００３７】
複数の例を上述したが、これらはＥＭＲを選択的に作動させる又は作動させないことに関するものであった。本明細書に記載の様々なシナリオが、そのようなＥＭＲの選択的作動又は不作動はＢＳで認識される必要があり得るという知見に基づいており、すなわち、通信ネットワークに接続するための特定のＵＥのＲＡ手順の一部として、ＢＳがＵＬメッセージを該ＵＥから受信する場合に、ＢＳがＵＬメッセージによって伝達される情報を正確に把握する上で、この認識が役に立つことがある。様々な例によると、この感知は、ＥＭＲ標示により容易にできる。
【００３８】
様々な例によると、ＥＭＲを作動させるか停止させるかに関するＥＭＲ標示が、ＵＥにより提供され、ＢＳにより取得される。言い換えると、ＥＭＲ標示は、１つ以上の対応付けられたＲＡ手順のＵＬメッセージがＥＭＲを伝達するか否かを示す。
【００３９】
例えば、ＥＭＲ標示の例示的な論理型の実施態様では、「ＴＲＵＥ」はＵＬメッセージがＥＭＲを伝達することを示し、「ＦＡＬＳＥ」はＵＬメッセージがＥＭＲを伝達しないことを示すと考えられる。通例、ＥＭＲ標示を実行するための、これよりも明確ではない選択肢も利用可能である。
【００４０】
ＥＭＲ標示により、例えば、複数のＵＥのうちの（事前に未知の）１つから受信された、又は選択的にＥＭＲを送信できるＵＥによって受信されたある特定のＵＬメッセージが、ＥＭＲを伝達するかＥＭＲを伝達しないかを、ＢＳが判断することができる。したがって、ＥＭＲ標示に基づき、複数のＵＬメッセージのうちの特定の１つがＥＭＲを伝達するか否かを、ＢＳが判断してもよい。ＥＭＲ標示は、このようなＢＳによる判断が適切にできるよう設定される。
【００４１】
したがって、ＥＭＲ標示により、例えば、複数のＵＥにわたって、又は特定のＵＥの複数のＲＡ手順にわたって、ＥＭＲの選択的作動を柔軟にサポートすることが可能となる。ＥＭＲ標示により、ＢＳがＵＬメッセージの情報内容を正確に把握することができる。例えば、ＢＳは、ＵＬメッセージに含まれる異なる情報を区別できる。例えば、ＢＳは、共にＵＬメッセージで伝達されるＲＲＣ接続リクエストとＥＭＲを区別することができ、共にＵＬメッセージで伝達されるＥＭＲとＥＤＴを区別することも可能となる。ＥＭＲをサポートしている複数のＵＥ及びＥＭＲをサポートしていない複数のＵＥから、メッセージを受信することが可能となる。
【００４２】
通例、ＥＭＲ標示は、様々なやり方で実行できる。例えば、ＥＭＲ標示を、明示的に又は暗黙的に提供できる。明示的な標示の例として挙げるなら、ＵＬメッセージがＥＭＲを伝達するか否かを導き出すため、例えば、上記論理型の実施態様を導き出すために、ＢＳが直接用いることのできる専用の情報を、ＵＥは提供する。暗黙的な実施態様では、ＵＬメッセージがＥＭＲを伝達するか否かを導き出すために、場合によっては追加情報に基づき、ＢＳは何らかの処理を要求してもよい。
【００４３】
さらに一般には、ＥＭＲ標示を、予測的に、すなわちＥＭＲよりも前に提供でき、又はＥＭＲと共に提供できる。これについては、以下でさらに詳細に説明する。
【００４４】
（ｉ）ＥＭＲ標示を、予測的に提供できる。例えば、ＵＥが接続モードで動作しているとき、すなわちＲＡ手順を開始する前に、ＲＲＣ制御メッセージを伝達してもよい。ＲＲＣ制御メッセージは、ＵＥにより実行される次の１つ以上のＲＡ手順のためにＥＭＲが作動させられるか否かを、予測的に（かつ明示的に）示す。
【００４５】
当然のことながら、そのような予測的なＥＭＲ標示のシナリオでは、ＥＭＲ標示は、厳密なタイミングでＥＭＲに対応するようには提供されない。例えば、ＵＥが接続モードで操作されているとき、及びＵＥの動作がアイドルモードに遷移する前に、ＥＭＲ標示が提供される場合、ＥＭＲ標示と実際のＥＭＲの間の時間幅は明確には設定されていないことがある。
【００４６】
他の例では、予測的なＥＭＲ標示は、対応付けられたＥＭＲに先行して明確に時間的に対応した形で、提供されることもある。例えば、ＥＭＲも含むＲＡ手順の間に、ＥＭＲ標示を提供することも可能である。例えば、ＥＭＲの選択的作動に対応付けられた全ての使用可能なＲＡプリアンブルのサブセットから、ＲＡ手順のＲＡプリアンブルを選択することにより、ＥＭＲ標示を提供することも可能である。代わりに又は追加で、ＲＡプリアンブルを送信するために時間周波数リソースを選択することにより、ＥＭＲ標示を提供することも可能である。そのような技術は、一般的に物理ＲＡチャネル（Physical  RA  Channel：ＰＲＡＣＨ）分割と呼ばれる。
【００４７】
（ｉｉ）他の例では、ＥＭＲを伝達する、又は伝達しないＵＬメッセージの一部として、ＥＭＲ標示が提供される。例えば、ＵＬメッセージのヘッダーに各指標を含めることも可能である。他の例では、ＵＬメッセージに対応付けられたトランスポートブロック（Transport  Block：ＴＢ）を適切に構成することにより、暗黙的なＥＭＲ標示が提供されることがある。言い換えると、ＵＬメッセージがＥＭＲを含むか含まないかに応じて、ＵＬメッセージに対応付けられたＴＢの構成が設定されることもある。そうすると、ＴＢの構成がＥＭＲ標示として機能する。例えば、ＵＬメッセージがＥＭＲを伝達するか伝達しないかに応じて、異なる大きさのＴＢが選択されることがある。代わりに又は追加で、ＵＬメッセージがＥＭＲを伝達するか伝達しないかに応じて、トランスポートブロックの分割が選択されることもある。例えば、ＴＢの分割を、ＵＬメッセージの一連の情報要素に関連させるようにできる。そうすると、ＵＬメッセージが受信される論理チャネル上のＢＳは、例えば、ブラインド復号を実行することにより、ＴＢ構造についての様々な想定を審査し、例えば、検査合計などに基づいて、復号において有意な結果が得られるか否かを審査できることがある。
【００４８】
さらに、一般的に、ＥＭＲ標示をＥＭＲリクエストと組み合わせることもできる。ＥＭＲリクエストにより、ネットワークがＥＭＲの送信を選択的に作動させることができることもある。例えば、ＥＭＲ標示は、例えば、ＰＲＡＣＨ分割により、又は上記のＲＲＣ制御メッセージにより、ＵＥにより予測的に提供することもできる。そうすると、ＥＭＲ標示の受信に応じて、ＢＳはＥＭＲリクエストを送信することがある。ＵＥがＥＭＲリクエストを受信するなら、ＥＭＲを伝達するＵＬメッセージを送信することになる。一方、ＵＥがＥＭＲ標示を提供するもののＢＳがＥＭＲリクエストを送信しないと判断する場合、ＵＥがＥＭＲを送信しないことがある。このため、ＥＭＲリクエストと組み合わせたＥＭＲ標示は、ＵＬメッセージにより伝達されるようにＥＭＲを起動でき、この意味において、ＥＭＲリクエストと組み合わせたＥＭＲ標示は、ＵＬメッセージがＥＭＲを伝達するか伝達しないかを判断するので、ＥＭＲ標示は暗黙的である。したがって、ＵＥがＥＭＲを動作させる能力をＥＭＲ標示が示すことがある。それにもかかわらず、なお、ＥＭＲリクエストを送信しＥＭＲ標示を取得するＢＳは、ＵＬメッセージがＥＭＲを伝達するか伝達しないかを十分に認識している。
【００４９】
上記から理解されるように、一般的に、ＥＭＲ標示を実行するために様々な選択肢が利用可能である。そのような選択肢は、それぞれを組み合わせて、さらなる選択肢を形成することができる。
【００５０】
図１は、本明細書に開示する技術から恩恵を受け得る無線通信システム１００を、模式的に示す図である。
【００５１】
無線通信システム１００は、ＡＮ１０１とＵＥ１０２とを備える。無線リンク１１１はＡＮ１０１とＵＥ１０２の間に設定される。無線リンク１１１は、ＡＮ１０１からＵＥ１０２までのＤＬリンクを含み、さらにＵＥ１０２からＡＮ１０１までのＵＬリンクを含む。
【００５２】
ＵＥ１０２は、スマートフォン、携帯電話、タブレット、ノート型端末、コンピューター、スマートＴＶ、ＭＴＣ装置、ｅＭＴＣ装置、ＩｏＴ装置、ＮＢ−ＩｏＴ装置、センサー、アクチュエーターなどのいずれかであってもよい。
【００５３】
ＡＮ１０１は、ローカルエリアネットワーク（Local  Area  Network：ＬＡＮ）又はセルラー通信ネットワークなどの通信ネットワークの一部を構成することができ、後者の場合、ＡＮ１０１はＢＳに該当する。以下、例示を目的として、ＢＳによるＡＮ１０１の実施態様について技術を説明する。
【００５４】
図２は、より詳細に、ＢＳ１０１及びＵＥ１０２を模式的に示す図である。ＢＳ１０１は、プロセッサー５０１１と、フロントエンドと呼ばれることもあるインターフェース５０１２とを備える。インターフェース５０１２は、アンテナポート（図２に図示せず）を介して、複数のアンテナ５０１４を含むアンテナアレイ５０１３に結合されている。一般的に、アンテナアレイは任意選択できる。各アンテナ５０１４は、電気配線によって構築された１つ以上のＬＣ発振器を備えてもよい。ＢＳ１０１は、不揮発メモリーなどのメモリー５０１５を、さらに備える。メモリーは、プロセッサー５０１１により実行できるプログラムコードを格納してもよい。プログラムコードの実行により、プロセッサー５０１１に、ＵＥ１０２を用いてＲＡ手順に参加する工程、ＥＭＲ標示を取得する工程、ＥＤＴに参加する工程、ＥＭＲを潜在的に伝達するメッセージを受信する工程、ＥＭＲを潜在的に伝達するＲＡ手順のＵＬメッセージを復号及び具体的にはブラインド復号する工程など、に関する技術を実行させてもよい。
【００５５】
ＵＥ１０２は、プロセッサー５０２１と、フロントエンドと呼ばれることもあるインターフェース５０２２とを備える。インターフェース５０２２は、アンテナポート（図２に図示せず）を介して、複数のアンテナ５０２４を含むアンテナアレイ５０２３に結合されている。アンテナアレイは任意選択できる。ＵＥ１０２は、単一のアンテナ５０２４を備えてもよい。各アンテナ５０２４は、無線周波数電流を伝達するための１つ以上の電気配線を備えてもよい。各アンテナ５０２４は、電気配線によって構築された１つ以上のＬＣ発振器を備えてもよい。ＵＥ１０２は、不揮発メモリーなどのメモリー５０２５を、さらに備える。メモリー５０２５は、プロセッサー５０２１により実行できるプログラムコードを格納してもよい。プログラムコードの実行により、プロセッサー５０２１に、ＢＳ１０１を用いてＲＡ手順に参加する工程、ＥＭＲ標示を提供する工程、ＥＤＴに参加する工程、ＥＭＲを伝達するメッセージを送信する工程など、に関する技術を実行させてもよい。
【００５６】
ＢＳ１０１及びＵＥ１０２は、あるチャネル帯域幅１６６にわたって無線リンク１１１で通信できる。例えば、チャネル帯域幅１６６にわたる複数の副搬送波を搬送波が含む場合、直交周波数分割多重（Orthogonal  Frequency  Division  Multiplex：ＯＦＤＭ）変調を用いてもよい。
【００５７】
図２には、全帯域幅１６６の小部分を占めるだけのナローバンド１６５も示されている。時として、ナローバンド１６５を、ＯＦＤＭ搬送波の１つ以上の副搬送波によって設定することもできる。他の例では、例えば、ＯＦＤＭに従って動作しない別の搬送波により、ナローバンドを設定することもできる。
【００５８】
図２のシナリオでは、ダウンリンク（Downlink：ＤＬ）参照信号１５０が、ＢＳ１０１により送信され、ＵＥ１０２により受信される。ＤＬ参照信号１５０は、明確な信号形状を有していてもよい。ＤＬ参照信号１５０に基づいて、ＵＥ１０２はチャネル測定を実行できる。チャネル測定により、例えば、ＤＬ方向における及び／又はＵＬ方向における無線リンク１１１による通信の品質が得られてもよい。無線リンク１１１のチャネルの相互性を前提としてもよい。チャネル測定に基づいて、ＥＭＲ１６０が、ＵＥ１０２により送信され、ＢＳ１０１により受信される。
【００５９】
通例、チャネル測定を実行するための様々な選択肢が利用可能である。例えば、ＤＬ参照信号１５０の受信振幅と送信振幅の比較に基づいて、無線リンク１１１のチャネルの経路損失を見積もることができる。ＤＬ参照信号１５０の受信振幅に基づいて、ＲＳＲＰを決定してもよい。さらに、ＲＳＲＱを決定してもよい。また、ＣＱＩなどのチャネル状態標示（Channel  State  Indication：ＣＳＩ）を決定してもよい。ＥＭＲ１６０が、ＲＳＲＰ、ＲＳＲＱ又はＣＱＩを表す、又は含んでもよい。これが第１層のチャネル測定に相当してもよい。さらに、ＤＬ参照信号１５０の受信振幅及び／又は受信位相の測定が、低階層のチャネル測定（例えば、第１層のチャネル測定）に対応できる一方で、他の例では、他の種類及びタイプのチャネル測定を実行してもよい。例えば、１回以上繰り返されるＤＬメッセージの復号品質を考慮に入れてもよい。再び、復号品質のために様々な実施態様が考えられる。いくつかの一般的な復号アルゴリズムにより、復号の信頼性の評価基準が提供される。例えば、この信頼性の評価基準は、復号品質を決定するために用いてもよい。別の例では、初期の復号の試みを行ってもよい。そのようなシナリオは、カバレッジ拡張（Coverage  Enhancement：ＣＥ）計画に特に適用できる。ここでは、複数回繰り返されるメッセージが送信され、復号前に受信機において組み合わされる。複数の繰り返しの数は、ＣＥ繰り返し回数により定義される。例えば、何回も繰り返されるＤＬメッセージの時間領域ベースバンドの波形は、組み合わせてもよく、これにより高い信号対雑音比が得られる。その後、組み合わされた波形を復号してもよい。この点に関して、前記繰り返しの数の受信が完了する前に、初期に復号を試みることで途中の復号を参照してもよい。時として、良いチャネル品質により、初期に復号を試みることでメッセージに含まれるデータを正常に復号させることが可能となる。一般的に、初期に復号を試みた結果を用いて、チャネル測定を実行できる。そのため、ＣＥシナリオにおいて、ＥＭＲ１６０は、ＣＥ繰り返しレベル指標に対応することができ、すなわち、ＣＥ繰り返し回数を減らすべきか増やすべきか、又はＣＥ繰り返し回数を適切な値にすべきか否かを表すことができる。
【００６０】
通例、チャネル測定を、帯域幅１６６全体にわたって実行してもよく、又はナローバンド１６５に限定してもよい。例えば、参照信号１５０をナローバンド１６５上で送信してもよい。そうすると、参照信号１５０の受信特性に基づいて、ナローバンド１６５についてチャネル測定を実行することができる。また、ＲＡ手順のＤＬメッセージ、例えば、Ｍｓｇ．２をナローバンド１６５上で送信することも可能となる。そして、例えば、ナローバンド１６５上にある受信参照信号にチャネル測定が基づくのであれば、ナローバンド１６５に対してチャネル測定を実行することが可能である。通例、チャネル測定に用いられるナローバンド１６５は、ＢＳ１０１又は一般的に通信ネットワークによって規定されてもよい。
【００６１】
図３は、いくつかの実施態様の例に係るセルラー通信ネットワーク９０のアーキテクチャーに関する態様を示す図である。特に、図３の例に係るセルラー通信ネットワーク９０は、３ＧＰＰ  ＬＴＥアーキテクチャーを構築し、進化型パケットシステム（Evolved  Packet  System：ＥＰＳ）と呼ばれることもある。ＢＳ１０１及びＵＥ１０２は、進化型ＵＭＴＳ地上無線アクセス技術（Evolved  UMTS  Terrestrial  Radio  Access  Technology：Ｅ−ＵＴＲＡＮ）を実装するため、ＢＳ１０１は図３において進化型ノードＢ（Evolved  Node  B：ｅＮＢ）と表記されている。
【００６２】
ＵＥ１０２は、セルラー通信ネットワーク９０に登録される。図３の例では、ＵＥ１０２は、無線リンク１１１を介してセルラー通信ネットワーク９０に、具体的には、セルラー通信ネットワーク９０のＢＳ１０１に接続される。データ接続６９９が確立される。このため、ＵＥ１０２は接続モードで動作する。他の例では、ＵＥ１０２をセルラー通信ネットワーク９０に登録してもよいが、アクティブでないデータ接続６９９は維持されてもよい。そのため、ＵＥ１０２はアイドルモードで動作する。データ接続６９９を設定するために、ＲＡ手順をＵＥ１０２及びＢＳ１０１により実行してもよい。そうすると、ＲＡ手順により、ＵＥ１０２はアイドルモードでの動作から接続モードでの動作に遷移する。データ接続６９９は、サービス用のデータを通信するために用いられる１つ以上のベアラによって構築されてもよい。データ接続６９９は、少なくとも部分的に、無線リンク１１１により通信するためのＢＳ１０１及びＵＥ１０２により実装される送信プロトコルスタックの第２層又は第３層について、規定されてもよい。例えば、３ＧＰＰ  ＬＴＥ  Ｅ−ＵＴＲＡＮとの接続では、データ接続６９９をＲＲＣ層上で構築してもよい。
【００６３】
ＢＳ１０１は、サービングゲートウェイ（Serving  Gateway：ＳＧＷ）１１７により構築されるゲートウェイノードと接続される。ＳＧＷ１１７は、ペイロードデータを配信し転送して、ＵＥ１０２のハンドオーバーの間にモビリティアンカーとして機能してもよい。ＳＧＷ１１７は、パケットデータネットワークゲートウェイ（Packet  Data  Network  Gateway：ＰＧＷ）１１８により構築されるゲートウェイノードと接続される。ＰＧＷ１１８は、パケットデータネットワーク（Packet  Data  Network：ＰＤＮ、図３に図示せず）に対するデータのための、セルラーネットワーク９０の出口点及び入口点として機能し、この目的のために、ＰＧＷ１１８は、パケットデータネットワークのアクセスポイントノード１２１と接続される。アクセスポイントノード１２１は、アクセスポイント名（Access  Point  Name：ＡＰＮ）よって一意に識別される。ＡＰＮは、パケットデータネットワークへのアクセスを探索するために、ＵＥ１０２により使用される。ＰＧＷ１１８は、ＵＥ１０２のパケット化されたペイロードデータに対するデータ接続６９９の終点とすることができる。
【００６４】
コアネットワークの制御層は、モビリティ管理エンティティ（Mobility  Management  Entity：ＭＭＥ）１１６を含む。ＭＭＥ１１６は、ページングやアクセス信用証明などのモビリティ及びセキュリティのタスクを取り扱う。また、ＭＭＥ１１６は、例えば、ＵＥ１０２が接続モード又は切断モードで動作しているかといった、ＵＥ１０２の動作モードを追跡する。ＭＭＥ１１６は、非アクセス層（Non-Access  Stratum：ＮＡＳ）接続、すなわち、ＲＲＣ層よりも上の層で実現される制御接続の終端点である。ホーム加入者サーバー（Home  Subscriber  Server：ＨＳＳ）１１５は、認証及び加入情報などの、ユーザー及び加入者に関する情報を保管するリポジトリを含む。ポリシーと課金ルール機能（Policy  and  Charging  Rules  Function：ＰＣＲＦ）がポリシー制御を実行することにより、特定のサービス品質が向上する。
【００６５】
図４は、ＵＥ１０２の動作に関する態様を示す。例えば、図４の方法を、プロセッサー５０２１により実行してもよい。
【００６６】
まず、１０５１において、ＵＥ１０２はアイドルモードで動作する。次に、ブロック１００１において、ＲＡ手順が実行される。例えば、４ステップＲＡ手順を実行してもよい。ＲＡ手順の一部として、データ接続６９９を確立することができる。このために、ＵＥ１０２はＲＲＣ接続リクエストを送信できる。
【００６７】
次に、１０５２において、ＵＥは接続モードに遷移する。データ接続６９９が確立される。
【００６８】
ブロック１００２において、データ接続６９９を用いて、ＲＲＣ制御信号伝達を実行することができる。これは、第３層の制御信号伝達に対応する。例えば、ＵＬ第３層制御データ及び／又はＤＬ第３層制御データを通信してもよい。ＲＲＣ制御データを通信することができる。
【００６９】
ブロック１００３において、ペイロードデータ、例えば、アプリケーション層データを、データ接続６９９に沿って通信することができる。例えば、ＵＬペイロードデータ及び／又はＤＬペイロードデータを通信してもよい。
【００７０】
ブロック１００４において、データ接続６９９が解除される。例えば、送信用のペイロードデータがキューに登録されないので、不活動タイマーを終了させてもよい。
【００７１】
そうすると、１０５３において、ＵＥ１０２が再びアイドルモードで操作される。例えば、アイドルモード中に、ＵＥ１０２は、不連続の受信サイクルを実行してもよい。
【００７２】
ブロック１００５において、ＵＥ１０２がページングされる。例えば、ページング指標を、ＢＳ１０１により送信することができる。ページングによりブロック１００１においてＲＡ手順が起動し、図４に示すプロセスフローの新たな繰り返しが始まる。通例、ＲＡ手順を起動するための他の基準として、例えば、ＵＥ１０２において送信のためにキューに登録されたＵＬデータが考えられる。
【００７３】
図５Ａは、ＵＥ１０２などの無線通信装置の動作に関する態様を示す。例えば、図５Ａの方法を、プロセッサー５０２１により実行してもよい。図５Ａは、様々な例による方法を示している。
【００７４】
任意選択できるブロック１０２０において、例えば、セルラー通信ネットワークのＢＳから、又は一般的に、ＡＮから、ＥＭＲリクエストが受信される。ＥＭＲリクエストにより、以下のブロック１０２１〜１０２３が起動する。
【００７５】
通例、ＲＡ手順を開始する前に、ＥＭＲリクエストを受信してもよい。例えば、ブロック１００２（図４参照）において、すなわち、アイドルモードに遷移する前に、ＲＲＣ制御信号伝達としてＥＭＲリクエストを受信してもよい。代わりに、ＲＡ手順のＤＬメッセージにおいて、すなわち、ブロック１００１（図４参照）の一部として、ＥＭＲリクエストを受信することも可能である。例えば、ＲＡ  Ｍｓｇ．２によりＥＭＲリクエストを伝達してもよい。また、ページング（図４参照、ブロック１００５）のページング指標又はページングメッセージに、ＥＭＲリクエストを含めることも可能である。例えば、ページング指標により標示されたリソースについての物理ダウンリンク共有チャネル（Physical  Downlink  Shared  Channel：ＰＤＳＣＨ）上で、ページングメッセージ通信してもよい。
【００７６】
ブロック１０２１において、チャネル測定が実行される。例えば、ＤＬ参照信号の受信特性を決定してもよい。例えば、電力レベル測定値を求めてもよい。
【００７７】
例えば、ブロック１０２０におけるＥＭＲリクエストに応じて、チャネル測定を実行してもよい。例えば、ＵＥ１０２がアイドルモードにある間に、例えば、１０５３（図４参照）において、ブロック１０２１におけるチャネル測定を実行することも可能である。代わりに、ＲＡ手順の間に、すなわち、１０５１と１０５２（図４参照）の間に、チャネル測定を実行することも可能である。
【００７８】
ブロック１０２２において、ブロック１０２１で実行されたチャネル測定の結果を示すＥＭＲを伝達するＵＬメッセージが、ＲＡ手順の間に送信される。言い換えると、ＵＬメッセージを、ブロック１００１（図４参照）の一部として送信することができる。
【００７９】
ブロック１０２３において、ＥＭＲ標示が提供される。ＥＭＲ標示は、ＥＭＲに関する。図５Ａの例では、ＥＭＲ標示は、ＵＬメッセージがＥＭＲを伝達することを、信号で伝える。既に上述したように、ＥＭＲ標示は様々な形態を取ることができ、例えば、暗黙的な実施態様及び明示的な実施態様が考えられる。例えば、ＥＭＲを伝達するＵＬメッセージを無線通信装置が一般的に送信できるか否かを、ＥＭＲ標示が示すことも可能であり、そのようなシナリオを、ブロック１０２０のＥＭＲリクエストと組み合わせてもよい。
【００８０】
一般的に、ブロック１０２２と並行してブロック１０２３を実行してもよく、すなわち、ＵＬメッセージ自体が、それがＥＭＲを伝達していることを示してもよい。また、ブロック１０２３よりも前に、例えば、ブロック１００２（図４参照）におけるＲＲＣ制御信号伝達を用いて、ブロック１０２２を実行することも可能である。また、ブロック１０２３においてＥＭＲ指標を提供した後に、ブロック１０２０のＥＭＲリクエストを受信してもよく、このようなシナリオが図５Ｂに示されている。
【００８１】
図５Ｂは、ＵＥ１０２などの無線通信装置の動作に関する態様を示す。例えば、図５Ｂの方法を、プロセッサー５０２１により実行してもよい。図５Ｂは、様々な例による方法を示している。
【００８２】
図５Ｂの例は、概して、図５Ａの例に対応する。図５Ｂの例では、ブロック１０７１において、ＥＭＲ標示が提供される。ブロック１０７１において提供されたＥＭＲ標示は、ＥＭＲに関する。図５Ｂの例では、ＥＭＲ標示は、ＥＭＲを伝達するＵＬメッセージを送信する無線通信装置の能力を示す（この能力を持たない無線通信装置はＥＭＲ標示を提供しない）。例えば、ブロック１０７１においてＥＭＲ標示を提供するために、ＰＲＡＣＨ分割を用いてもよい。これは、ネットワークに接続しようと試みている異なる無線通信装置間の曖昧さを避けるのに役立つ。
【００８３】
ブロック１０７２において、無線通信装置はＥＭＲリクエストを受信する。これは任意選択できる。時として、例えば、ＥＭＲが要求されていないとネットワークが判断するため、無線通信装置がＥＭＲリクエストを受信しないことがある。
【００８４】
もし、ブロック１０７２において、ＥＭＲリクエストが受信されると、無線通信装置はブロック１０７３においてチャネル測定を実行し、ＥＭＲを伝達しているＲＡ  ＵＬメッセージをブロック１０７４において送信する。もしＥＭＲリクエストが受信されなければ、ＥＭＲなしでＲＡ  ＵＬメッセージを送信することができる。ブロック１０７３においてチャネル測定を実行することは、必要ではないとしてもよい。それゆえに、ＥＭＲリクエストの受信は、ブロック１０７３においてチャネル測定を実行し、ブロック１０７４においてＥＭＲを伝達するＲＡ  ＵＬメッセージを送信するための、トリガー基準である。
【００８５】
図６Ａは、通信ネットワークのノードなどのＡＮの動作に関する態様を示す。例えば、図６Ａの方法をＢＳ１０１により実行してもよい。図６Ａは、様々な例による方法を示している。例えば、図６Ａの方法は、プロセッサー５０１１（図２参照）により実行するとよい。
【００８６】
ブロック１０３０において、ＥＭＲリクエストが送信される。ブロック１０３０は任意選択できる。ブロック１０３０はブロック１０２０（図５Ａ参照）と相互関係がある。
【００８７】
ブロック１０３２において、通信ネットワークに接続しようと試みるＵＥのＲＡ手順の一部として、ＵＬメッセージが受信される。ＵＬメッセージは、ＥＭＲを伝達する。そのため、ブロック１０３２は、ブロック１０２２（図５Ａ参照）と相互関係がある。
【００８８】
ブロック１０３３において、ＥＭＲ指標が取得される。そのため、ブロック１０３３はブロック１０２３（図５Ａ参照）と相互関係がある。例えば、ＥＭＲを伝達するＵＬメッセージを無線通信装置が一般的に送信できるか否かを、ＥＭＲ標示が示すことも可能であり、そのようなシナリオを、ブロック１０３０のＥＭＲリクエストと組み合わせてもよい。
【００８９】
ブロック１０３４において、ブロック１０３２で受信されたＲＡ  ＵＬメッセージが処理される。これに、復号や第１層から第２層への転送などを含めてもよい。ブロック１０３４における処理は、ブロック１０３３のＥＭＲ指標によって決まる。そのため、ＲＡ  ＵＬメッセージは、ＥＭＲ指標が取得されなかったり、又はＥＭＲを伝達しないＲＡ  ＵＬメッセージを示すＥＭＲ指標が取得されたりするような、別のＲＡ  ＵＬメッセージとは異なるやり方で処理してもよい。
【００９０】
図６Ｂは、通信ネットワークのノードなどのＡＮの動作に関する態様を示す。例えば、図６Ｂの方法を、ＢＳ１０１により実行してもよい。図６Ｂは、様々な例による方法を示している。例えば、図６Ｂの方法は、プロセッサー５０１１（図２参照）により実行するとよい。
【００９１】
図６Ｂは、概して、図６Ａに対応する。
【００９２】
ブロック１０８１において、ＥＭＲ指標が無線通信装置から取得される。そのため、ブロック１０８１はブロック１０７１（図５Ｂ参照）と相互関係がある。
【００９３】
ＥＭＲ指標に基づいて、ＥＭＲを伝達するＲＡ  ＵＬメッセージを送信する各無線通信装置の能力を、ＡＮが認識する。例えば、ＲＡ手順の間に例えばＰＲＡＣＨ分割を用いてＥＭＲ指標が受信される場合、（ＡＮを構築している）無線通信装置（すなわち、より正確には、関連加入者の無線通信装置）の個体識別情報を各ＢＳが認識しないことがあるが、それにもかかわらず該各ＢＳは特定の無線通信装置がＥＭＲを送信可能であると結論づけることができる。ＥＭＲを送信する能力を有するものと有さないものの複数のＵＥ間の曖昧さを、避けることができる。
【００９４】
そして、ＡＮは、ＥＭＲが要求されているかを確認できる。例えば、別の測定レポートがまだ最新であるか否かを、ＡＮが判断してもよい。この確認に応じて、ＡＮはブロック１０８２を実行しても又は実行しなくてもよく、すなわち、ブロック１０８２において、ＡＮはＥＭＲリクエストを送信しても又は送信しなくてもよい。そのため、ブロック１０８２は、ブロック１０７２（図５Ｂ参照）と相互関係がある。
【００９５】
ブロック１０８１においてＡＮがＥＭＲ指標を取得しない場合、ブロック１０８２においてＥＭＲリクエストを送信する必要はない。
【００９６】
そのため、ブロック１０８３は、ブロック１０７４（図５Ｂ参照）と相互関係があり、ブロック１０３２（図６Ａ参照）に対応している。
【００９７】
ブロック１０８３は、ブロック１０３４（図６Ａ参照）に対応している。
【００９８】
図７は、ＲＡ手順６０００（図４参照、ブロック１００１）に関する態様を模式的に示す図である。図７は、ＵＥ１０２とＢＳ１０１の間の通信の信号伝送図である。図７は、具体的には、コンテンションベースのＲＡ手順６０００に関する態様を示している。また、図７は、ＲＡ手順６０００の一部として、ＥＭＲ１６０の提供に関する詳細を示している。
【００９９】
ＲＡ手順６０００は、４つのステップを含み、６５０１においてＵＥ１０２からＢＳ１０１に送信されるＲＡプリアンブルを伝達するＲＡメッセージ１（Ｍｓｇ．１）６００１から始まる。
【０１００】
本明細書で用いられるＲＡプリアンブルは、パターン又はサインであってもよい。ＲＡプリアンブルの値が、異なるＵＥ間を区別するのに役立ってもよい。ＲＡプリアンブルを、例えば、６４又は１２８のプリアンブル候補といった一組のプリアンブルから選択してもよい。ＲＡプリアンブルに沿って情報内容を伝達するために、分割を利用してもよい。異なるプリアンブルが、直交符号を用いてもよい。一般的に、ＲＡプリアンブルは、ＵＥ１０２を一意に識別しない。また、ＲＡプリアンブルの送信のために割り当てられた他の時間周波数リソースに、特定の目的（例えば、ＥＤＴ、ＥＭＲ）を付与することにより、ＰＲＡＣＨ分割を用いてもよい。
【０１０１】
様々な例によると、ＰＲＡＣＨ分割がＥＭＲ標示１９０として機能してもよい。ＥＭＲ標示１９０は、メッセージ６００１（Ｍｓｇ．１）におけるＲＡプリアンブルを選択及び送信することにより、実行してもよい。いくつかの例では、このことから、ＢＳ１０１は、次のＵＬ  ＲＡメッセージＭｓｇ．３  ６００３がＥＭＲ１６０を伝達することを、明確に知っている。また、そのようなシナリオは、ＥＭＲを伝達するＲＡメッセージＭｓｇ．３  ６００３を送信するＵＥ１０２の能力をＥＭＲ標示が示す、ＥＭＲリクエストと組み合わせることができ、そのとき、トリガー基準はＥＭＲリクエストとなる。次のＲＡメッセージＭｓｇ．３  ６００３におけるＥＭＲ１６０をネットワークに対して示すために、予備のＲＡプリアンブルを用いることができる。本明細書に記載の様々な技術が、通信ネットワーク内には、ＥＭＲ１６０を送信することになっているＵＥ（例えば、そうするよう半静的に構成されたＵＥ）もあれば、送信することになっていないＵＥ（例えば、ＥＭＲ機能を備えていない旧バージョンのＵＥ、又はＥＭＲ１６０を送信しないよう半静的に構成されたＵＥ）もあるという知見に基づいている。ＲＡ手順６０００の間、ＢＳ１０１は、ＥＭＲ１６０を送信することになっているＵＥ及び送信することになっていないＵＥにＲＡプリアンブルが対応付けられていることを、事前に知らない。この問題は、ＥＭＲ標示１９０によって解消される。通例、（上述のようにＲＡ分割を用いるだけでなく）様々なやり方で、ＥＭＲ標示１９０を実行できる。
【０１０２】
次に、６５０２において、ＤＬ  ＲＡ応答メッセージ６００２（Ｍｓｇ．２、ＲＡ応答（RA  Response：ＲＡＲ）メッセージとも呼ばれる）が、ＢＳ１０１により送信され、ＵＥ１０２により受信される。ＲＡＲメッセージ６００２は、ＯＦＤＭ搬送波（図２参照）の時間周波数グリッドで定義される１つ以上の物理リソースブロック（Physical  Resource  Block：ＰＲＢ）へのリソース割り当てのための、ＵＬ許可を含む。ＲＡＲメッセージ６００２は、ＵＥ１０２のＲＡ無線ネットワーク一時識別子（RA  Radio  Network  Temporary  Identity：ＲＡ−ＲＮＴＩ）にアドレス指定される。
【０１０３】
図７の例では、ＲＡＲメッセージ６００２は、ＥＭＲリクエスト１６９も伝達する。ＥＭＲリクエスト１６９を用いることは、一般的に任意選択できる。また、ＥＭＲリクエスト１６９を用いる場合、図７に示したものとは異なるやり方でＥＭＲリクエスト１６９を実行してもよい。例えば、ＲＲＣ制御信号伝達又はページングメッセージの情報要素を用いるなどにより、ＥＭＲリクエスト１６９を実行してもよい。
【０１０４】
図７の例では、ＢＳ１０１は、ＤＬ  ＲＡＲメッセージ６００２においてＥＭＲリクエスト１６９を送信する。ＥＭＲリクエスト１６９をＲＡＲメッセージ６００２に含めるために、コンテンションベースのＲＡ手順６０００では、さもなければ使われないであろうＲＡＲメッセージ６００２のＵＬ許可に、いわゆるＣＳＩリクエストビットを含めてもよい。また、ＥＭＲリクエスト１６９は、暗黙的に実行するとよい。例えば、ＥＭＲリクエスト１６９を実行するために、ある特定の選択されたＭＣＳ及び／又はＴＢサイズ及び／又はリソース割り当ての組み合わせを用いてもよい。そのような例は、ＥＭＲ対応ＵＥのためのサブセットとそれ以外のＵＥのためのサブセットとにＲＡプリアンブルを分割することと、組み合わせてもよい。ＥＭＲ標示１９０として、ＥＭＲ対応ＵＥのためのサブセット内でＲＡプリアンブルを、ＵＥ１０２が送信する場合、ＢＳ１０１は、当該ＵＥ１０２が上記ＥＭＲリクエスト１６９を含むＲＡＲメッセージ６００２を構文解析できることを知っている。別の実施形態では、ＲＡＲメッセージ６００２により伝達されるＵＬ許可に、ＥＭＲリクエスト１６９を拡張子として送信することができる。そのような場合、ＥＭＲ対応ではないＵＥ１０２は、標準的なＵＬ許可を読み取ってＥＭＲは送信せず、ＥＭＲ対応ＵＥ１０２は、追加でＵＬ許可の拡張子を読み取る。
【０１０５】
次に、６５０３において、ＵＥ１０２は、ＲＡメッセージＭｓｇ．３  ６００３（Ｍｓｇ．３）を送信する。ＲＡメッセージＭｓｇ．３  ６００３は、ＲＡＲメッセージ６００２のＵＬ許可によって割り当てられた１つ以上のＰＲＢを専有する。１つ以上のＰＲＢにマッピングされたＲＡメッセージＭｓｇ．３  ６００３に対応付けられたＴＢには、複数の情報要素が含まれている。
【０１０６】
ＲＡメッセージＭｓｇ．３  ６００３は、第１情報要素、すなわち、ＲＲＣ接続リクエスト１６２、又はＳ−ＴＭＳＩなどのＩＤを含むＲＲＣ接続レジューム、あるいはＵＥで利用可能であればセル無線ネットワーク一時識別子（Cell  Radio  Network  Temporary  Identity：Ｃ−ＲＮＴＩ）を伝達する。これは、各送信プロトコルスタックの第３層上でのデータ接続６９９を設定するためのものである。
【０１０７】
図７のシナリオでは、ＲＡメッセージＭｓｇ．３  ６００３は、第２情報要素、すなわちＥＤＴ１６１も伝達する。これは一般的に任意選択できる。
【０１０８】
また、ＲＡメッセージＭｓｇ．３  ６００３は、第３情報要素、すなわちＥＭＲ１６０も伝達する。通例、いくつかの例では、ＥＭＲ１６０を選択的に作動させてもよい。そうすると、ＲＡメッセージＭｓｇ．３  ６００３のいくつかの例だけが、ＥＭＲ１６０を伝達してよい。
【０１０９】
通例、ＥＭＲ１６０は、様々なフォーマットを取ることができる。例えば、ＥＭＲ１６０を、ＲＳＲＰ、ＲＳＲＱ測定レポート及び／又はＣＱＩ測定レポートの形式にすることができる。ＲＳＲＰにより設定されるＥＭＲ１６０は、３ＧＰＰ  ＴＳ  ３６．１３３  表９．１．４−１にあるようなＲＳＲＰ測定レポートマッピングに基づく値（例えば、整数値０，・・・，９７）とすることができる。一般的に、ＥＭＲ１６０を導出するために用いられるリソース、すなわち、チャネル測定が実行されるリソースは、（ｉ）ＵＥ１０２がＲＡＲメッセージ６００２を求めて監視するところのナローバンド１６５、又はＵＥ１０２が物理ＤＬ制御チャネル（Physical  DL  Control  Channel：ＰＤＣＣＨ）を監視するところのナローバンド１６５とすることができる。一般的に、ナローバンド１６５を、セルラー通信ネットワーク９０によって構成してもよく、例えば、測定対象のナローバンド１６５を、ＲＡＲメッセージ６００２内に標示してもよい。
【０１１０】
別の例では、ＵＥ１０２は、物理チャネル上で繰り返しが適用されるカバレッジ拡張モードで、動作できる。ＵＥ１０２は、例えば、ＰＤＳＣＨ上で、ＤＬメッセージを受信するために必要な実際の繰り返しレベル（すなわち繰り返しの数）を報告できる。一例として、ＰＤＳＣＨ上でＲＡＲメッセージ６００２を受信するために必要な繰り返しの数が挙げられる（図７における破線矢印）。例えば、ＲＡＲメッセージ６００２を送信するために適用されるＣＥ繰り返しレベルは、ＲＡメッセージ６００１（Ｍｓｇ．１）を受信する品質、例えば、ＲＡプリアンブルが受信される繰り返しの数に基づいてもよい。セルラー通信ネットワーク９０が、ＲＡＲメッセージ６００２の繰り返しを正常に復号させるのに必要な回数よりも多く行うようであれば、ＵＥ１０２は、ＲＡＲメッセージ６００２を受信するために必要な実際の繰り返しレベルを報告することにより、これを修正することができる。これをテストするため、ＵＥは、ＲＡＲメッセージ６００２の繰り返し全ての受信が完了する前に、初期の復号の試みを実行してもよい。詳細には、ＵＥ１０２は、ＰＤＳＣＨ上で送信されるＲＡＲメッセージ６００２を受信してもよい。複数回繰り返されるＲＡＲメッセージ６００２の受信の間に、ＵＥ１０２は初期の復号の試みを実行できる。例えば、ＲＡＲメッセージ６００２が、６４回繰り返されて送信される場合、ＵＥ１０２は、ＲＡＲメッセージ６００２を含むＰＤＳＣＨの復号を、１６、３２、４８及び６４回目の繰り返し時に、試みることができる。そのため、ＵＥ１０２は、ＥＭＲ１６０において、ＰＤＳＣＨの復号に必要であった実際の繰り返しの数を報告することができる。したがって、ＥＭＲ１６０は、ＣＥ繰り返しの数に関係する。
【０１１１】
通例、ＲＡメッセージＭｓｇ．３  ６００３を設定しＥＭＲ１６０を伝達するために、様々な選択肢が利用可能である。例えば、ＥＭＲ１６０を、ＲＲＣ接続リクエスト１６２に搭載して運ぶことができる（図８参照）。また、ＥＭＲ１６０を、利用できるならＥＤＴ１６１に搭載して運ぶとよい（図９参照）。ここで、ＥＭＲ１６０を含めるために、ＴＢのＥＤＴ１６１ビットシーケンスに差し込んでもよい。ＲＡメッセージＭｓｇ．３  ６００３によって伝達されるＥＤＴ１６１に、「ＲＲＣ測定レポート」としてＥＭＲ１６０を含めることにより、ＥＭＲ標示１９０を暗黙的に実行できる。すなわち、ＥＤＴ１６１があることで、ＥＭＲ標示１９０を実行できる（例えば、メッセージ６００１においてＲＡプリアンブルの分割を用いる代わりに）。ＥＤＴ１６１を検出することにより、ネットワークは、自身がＥＭＲ１６０を受信したことを認識する。さらなる例では、ＥＭＲ１６０をＥＤＴ１６１と共に送信する（図１０参照）、すなわち、ＥＭＲ１６０をＥＤＴ１６１に付加することも可能である。そのようなシナリオでは、ＲＡメッセージＭｓｇ．３  ６００３がＥＭＲ１６０を伝達するか伝達しないかにかかわらず、ＵＥ１０２で一般的なＴＢＳテーブルを用いてもよい。そのようなシナリオでは、ＴＢサイズ６００をＴＢテーブルから選択してもよい。そうすると、ＴＢサイズ６００の第１の部分６０１をＥＭＲ１６０に割り当て、ＴＢサイズ６００の第２の部分６０２をＥＤＴ１６１に割り当て、第３の部分６０３をＲＲＣ接続リクエスト１６２に割り当ててもよい。例えば、ＥＭＲ１６０のサイズが固定され（Ｙビット）、ＲＲＣ接続リクエスト１６２が固定されている（Ｚビット）と仮定する。ＥＤＴ１６１のために使用可能な実際のＴＢサイズ、すなわち、第２の部分６０２のサイズは、Ｘ−Ｙ−Ｚとなる。Ｘビットは、ＴＢサイズテーブルから抽出されるように、選択されたＴＢサイズ６００である。なお、そのようなＴＢの構成は、以下のようにＥＭＲ標示１９０の暗黙的な実施態様として機能し得る。（ｉ）ＥＭＲ１６０は上記構成に従ってＲＡメッセージＭｓｇ．３  ６００３により伝達される、（ｉｉ）ＥＭＲ１６０はＲＡメッセージＭｓｇ．３  ６００３により伝達されない、という前提の元、ＢＳ１０１がＵＥ１０２によって送信されたＲＡメッセージＭｓｇ．３  ６００３をブラインド復号できる。したがって、ＲＡメッセージＭｓｇ．３  ６００３の３つのＴＢ構成に従って、ブラインド復号を実行できる。
【０１１２】
また、セルラー通信ネットワーク９０がＥＭＲ１６０を起動し、ＵＥ１０２が送信対象のＥＤＴ１６１を有していない場合、ＥＭＲ１６０を伝達するのに十分小さい専用のＴＢサイズを、セルラー通信ネットワーク９０により提供することができる。専用のＴＢサイズは、３２８ビットよりも小さくてもよい。したがって、非効率となるパディングビットを挿入してＴＢを埋める代わりに、これらのＥＭＲ１６０を伝達するために、より小さいＴＢを導入することができる。
【０１１３】
この点において、ＢＳ１０１がＥＭＲ１６０を処理できる。ＢＳ１０１において、例えば、ＣＥレベルを決定するために、すなわち、様々なＣＥレベルをサポートし、ＥＭＲ１６０の後に送信されるデータ送信に適用し、同一セル内に留まるべきか又はハンドオーバーを実行すべきかを判断するために、例えば、ＲＳＲＰにより設定されるＥＭＲ１６０を用いてもよい。また、上述のように、ＣＱＩによりＥＭＲ１６０を設定することもできる。ＲＡ  ＤＬメッセージ６００４（Ｍｓｇ．４）などの次の送信のＭＣＳ及び／又はＴＢＳを決定するために、ＢＳ１０１によりＣＱＩを用いてもよい。
【０１１４】
一般的に、（ｉ）ＲＡＣＨ  ＣＥレベルと（ｉｉ）ＲＲＣ  ＣＥの２タイプのＣＥレベルにしてよい。ＲＡＣＨ  ＣＥレベルには、レベル０、１、２、３の４つの異なるレベルがある。これにより、ＲＡプリアンブル上で用いられる繰り返しが決まる。ＲＲＣ  ＣＥには、２つのモード、すなわち、ＣＥモードＡ及びＣＥモードＢがある。ＣＥモードＡは、基本的に、通常のＬＴＥ（すなわち、携帯電話）カバレッジのカバレッジに相当する標準的カバレッジレベルを意味する。ＣＥモードＢは、例えば、侵入損失を受ける地下に埋設された需給計器などのＭＴＣ装置のための、拡張されたカバレッジである。ＢＳがどちらのＲＲＣ  ＣＥレベルをＵＥが用いるべきか判断する上で、ＲＳＲＰを用いてもよい。
【０１１５】
６５０４において、ＢＳ１０１は、ＤＬ  ＲＡコンテンション解決メッセージ６００４（Ｍｓｇ．４）をもって応答し、他のＵＥ間の潜在的コンテンションを解決してもよい。
【０１１６】
ＵＥ１０２をセルラー通信ネットワーク９０に接続する試みが成功すれば、データ接続６９９を確立してもよい。そうすると、データ接続６９９に沿ってペイロードＵＬデータ及び／又はペイロードＤＬデータの無線通信を開始できる。
【０１１７】
様々なシナリオが、一般的に、ＥＭＲ１６０の送信は、それがＢＳ１０１により要求されていないときは、リソースの浪費であるという知見に基づいている。例えば、ＢＳ１０１がＥＭＲ１６０にかかわらずスケジューリング判断を行う場合は、ＵＥ１０２がＥＭＲ１６０を送信する必要はない。したがって、様々な例によると、ＲＡメッセージＭｓｇ．３  ６００３は、ＥＭＲ１６０をトリガー基準に応じて選択的に伝達する。
【０１１８】
トリガー基準を設定するための、様々な選択肢が利用可能である。トリガー基準のためのいくつかの例を、以下に示す。
【０１１９】
第１の例では、トリガー基準は、セルラー通信ネットワーク９０による半静的構成とすることができる。したがって、トリガー基準に、ＢＳ１０１から受信するＥＭＲリクエストを含めることができる。ＢＳ１０１は、ＥＭＲ１６０を提供するために、ＵＥ１０２を半静的に構成する。この半静的な構成は、ＲＲＣ信号伝達（図４参照、ブロック１００２）を介して実行することができる。ここでは、ＥＭＲリクエスト１６９は、ＲＡ手順６０００を開始する前に受信される（図７に図示せず）。
【０１２０】
トリガー基準の第２の例は、セルラー通信ネットワーク９０による動的構成に基づく。例えば、図６Ａの例では、ＥＭＲリクエスト１６９は、ＲＡＲメッセージ６００２に含まれる（図７参照）。これにより、セルラー通信ネットワーク９０は、ＲＡ手順毎に、すなわち低遅延で、ＥＭＲ１６０を起動させることができる。
【０１２１】
トリガー基準の第３の例は、ＵＥ測定に基づく。ＵＥは、ＲＡ手順を始める前に、ＲＳＲＰなどのチャネル状態を測定してもよい。ＲＡプリアンブルの選択は、ＣＥ繰り返し回数に基づいてもよい。例では、ＵＥは、このＲＳＲＰを閾値と比較する。ＲＳＲＰの測定値が閾値より低い（悪い）場合、ＵＥは起動してＥＭＲを送信する。より一般的には、トリガー基準は、所定の基準を満たすチャネル測定の結果を含んでもよい。このことは、（より多くの物理リソースを消費する）悪いチャネル状態ではＵＥのための送信を最適化することが、良いチャネル状態にあるＵＥよりも、重要であることが多々あるため、有益となり得る。
【０１２２】
トリガー基準の第４の例は、ページングメッセージにおいてＵＥに信号伝達されるＥＭＲリクエストを含む。ここでは、ページングメッセージは、ＵＥに対してＥＭＲを実行すべきか否かを伝える（例えば、専用の情報要素における）追加の標示を含む。
【０１２３】
通例、ＥＭＲ１６０を、関連するチャネル測定を実行後に、いくらか短い又は長い時間長で送信してもよい。チャネル測定を実行する時間のために、様々な選択肢が利用可能である。シナリオに応じて、ＵＥ１０２は、１０５３（図４参照）においてアイドルモードで動作中などＲＡ手順６０００よりも前に、及び／又はＲＡ手順６０００の間に、チャネル測定を実行してもよい。
【０１２４】
例えば、アイドルモード中にＲＡ手順６０００より前にチャネル測定を実行することは、例えば、チャネル測定の結果に応じ、ＥＭＲ１６０がＵＥ１０２により起動する場合に、適していることがある。例えば、アイドルモード中のチャネル測定の実行は、自動であってもよく、すなわち、ＵＥの実施態様によって決まる。ＥＭＲ１６０をサポートするために、アイドルモード中のチャネル測定の実行を、ネットワークにより、すなわち、ＥＭＲリクエスト１６９を用いて命令することも可能である。
【０１２５】
他の例では、ＵＥ１０２は、例えば、ＲＡＲメッセージ６００２（図７参照）によって伝達されるＥＭＲリクエスト１６９の受信に応じて、チャネル測定の実行を開始できる。これは、ＲＡＲメッセージ６００２とＲＡメッセージＭｓｇ．３  ６００３の間の時間間隔６６０２の途中であってもよい。参考の実施態様では、時間間隔６６０２の継続時間は５個のサブフレームである。ＲＡＲメッセージ６００２の受信後のＮ個のサブフレームで（ここでは、Ｎ＜５）、チャネル測定を実行することができる。各時点６６０１が、図７に示されている。
【０１２６】
チャネル測定の実行に、例えば、ＲＡＲメッセージ６００２が複数回繰り返し受信され、初期の復号が試みられるＣＥモードにおいて、５個のサブフレームよりも長く要する場合には、時間間隔６６０２を適宜設定することができる。通例、各チャネル測定の実行に選択的に対処するために、ＲＡメッセージＭｓｇ．３  ６００３がＥＭＲ１６０を伝達するか否かに応じて、時間間隔６６０２を設定することも可能である。ネットワークがＥＭＲリクエスト１６９を送信した場合、Ｍ＞５が設定された時間間隔６６０２であるＭ個のサブフレームの後に、ＵＥ１０２がＲＡメッセージＭｓｇ．３  ６００３を送信すると期待できる。いくつかの例では、時間間隔６６０２の値Ｍは、仕様書で固定されており、このため、ＵＥ１０２にハードコード化される。時間間隔６６０２をセルラー通信ネットワーク９０により設定することも可能である。値Ｍ、すなわち、一般的に、時間間隔６６０２は、放送で伝えられたシステム情報ブロック（System  Information  Block：ＳＩＢ）に示されてもよく、例えば、同じＳＩＢが、各ＣＥ繰り返しレベルがＲＡ手順６０００に適用されるように、値を伝達してもよい。また、セルラー通信ネットワーク９０が、ＲＡＲメッセージ６００２において時間間隔６６０２を設定することも可能である。
【０１２７】
総括すると、ＵＥからＢＳへのＥＭＲの送信に関して上記技術を説明した。チャネル測定を実行してＥＭＲを決定する技術を説明した。チャネル測定及び／又はＥＭＲの実行を起動する技術を説明した。ＥＭＲが作動させられる標示を提供できることを説明した。
【０１２８】
例えば、ＥＭＲ標示を実行するために、ＰＲＡＣＨ分割を用いることができる。ここでは、複数のシナリオが考えられる。（ｉ）ＥＭＲ標示と組み合わせて、ＲＳＲＰが閾値未満になるなどトリガー基準が満たされればＥＭＲを送信するために、ネットワークは、ＥＭＲリクエストを用いて、例えば、ＤＬ  ＲＲＣ制御信号伝達を用いて、ＵＥを構成してもよい。ＵＥは、ＰＲＡＣＨ分割を用いて自身を識別し、ＥＭＲを伝達するＲＡ  Ｍｓｇ３を送信する。代わりに、ＥＭＲリクエストも、ネットワークによりページングメッセージに含まれてよい。ＵＥは、ＥＭＲを作動させることができるＵＥとして自身を識別し、ＥＭＲを伝達するＲＡ  Ｍｓｇ３を送信するために、再びＰＲＡＣＨ分割を用いることができる。（ｉｉｉ）ＵＥは、自身がＥＭＲを作動させることができることをネットワークに示すために、ＰＲＡＣＨ分割を用いることができる。そして、ネットワークは、ＲＡ  Ｍｓｇ．２におけるＥＭＲを要求する判断をする。そして、ＵＥは、ＥＭＲを伝達するＭｓｇ３を送信する。ここで、ＰＲＡＣＨ分割の使用は、ＥＭＲを伝達するＭｓｇ３を送信するＵＥの能力を示すが、ＥＭＲの作動はさらなるトリガー基準（ここでは、ネットワークからのＥＭＲリクエスト）によって決まるため、ＵＥがＥＭＲを伝達するＵＬメッセージを必ずしも送信することを意味するものではない。ＲＡ  Ｍｓｇ２におけるＥＭＲリクエストを用いてＵＥを起動させるのは、ネットワーク次第だからである。ネットワークがＥＭＲを起動させない、すなわち、ＲＡ  Ｍｓｇ．２におけるＥＭＲリクエストを送信しない場合、ＵＥはＥＭＲを送信しない、すなわち、ＥＭＲを伝達しないＲＡ  Ｍｓｇ．３を送信する。
【０１２９】
ある特定の好適な実施形態に参照しながら、発明を示し説明したが、本明細書を読んで理解すれば、均等物及び変形例が当業者には思い浮かぶであろう。本発明は、全ての均等物及び変形例を含み、添付の特許請求の範囲によってのみ限定される。
【０１３０】
例示のため、上記において、様々な例をセルラー通信ネットワークに関して説明した。同様の技術を、他のタイプの通信ネットワークに容易に適用することができる。
【図１】
2021533685.tif 000002
【図２】
2021533685.tif 000003
【図３】
2021533685.tif 000004
【図４】
2021533685.tif 000005
【図５Ａ】
2021533685.tif 000006
【図５Ｂ】
2021533685.tif 000007
【図６Ａ】
2021533685.tif 000008
【図６Ｂ】
2021533685.tif 000009
【図７】
2021533685.tif 000010
【図８】
2021533685.tif 000011
【図９】
2021533685.tif 000012
【図１０】
2021533685.tif 000013
【手続補正書】
【提出日】令和3年3月9日(2021.3.9)
【手続補正１】
【補正対象書類名】特許請求の範囲
【補正対象項目名】全文
【補正方法】変更
【補正の内容】
【特許請求の範囲】
【請求項１】
無線通信装置を動作させる方法であって、
前記無線通信装置と通信ネットワークのネットワークノードの間の無線リンクのチャネル測定を実行する工程と、
通信ネットワークにアクセスするためのランダムアクセス手順の一部として、前記チャネル測定の測定レポートを伝達するアップリンクメッセージを前記ネットワークノードに送信する工程と、
前記ネットワークノードに、前記アップリンクメッセージが前記測定レポートを伝達するか否かに関する標示を提供する工程と、を含む方法。
【請求項２】
前記標示は、前記アップリンクメッセージに対応付けられたトランスポートブロックの所定の構成を実装する工程を含む、請求項１に記載の方法。
【請求項３】
前記トランスポートブロックの構成は、前記トランスポートブロックのサイズ及び前記トランスポートブロックの分割のうち少なくとも１つを含む、請求項２に記載の方法。
【請求項４】
前記標示は、前記ランダムアクセス手順の一組のランダムアクセスプリアンブル又はランダムアクセスプリアンブルリソースの分割を含む、請求項１〜３のいずれか１つに記載の方法。
【請求項５】
前記標示は、前記ランダムアクセス手順を開始する前に、前記無線通信装置から前記通信ネットワークへの第３層のアップリンク制御信号伝達を含む、請求項１〜４のいずれか１つに記載の方法。
【請求項６】
前記アップリンクメッセージは、トリガー基準に応じて、前記測定レポートを選択的に伝達する、請求項１〜５のいずれか１つに記載の方法。
【請求項７】
前記トリガー基準は、前記通信ネットワークから受信した測定リクエストを含む、請求項６に記載の方法。
【請求項８】
前記測定リクエストは、前記ランダムアクセス手順を開始する前に受信される、請求項７に記載の方法。
【請求項９】
前記測定リクエストは、前記ランダムアクセス手順のダウンリンクメッセージであって、前記アップリンクメッセージを送信する前に前記無線通信装置によって受信されるダウンリンクメッセージにおいて、受信される、請求項７に記載の方法。
【請求項１０】
前記チャネル測定は、前記測定リクエストを伝達する前記ダウンリンクメッセージの受信に応じて実行される、請求項９に記載の方法。
【請求項１１】
前記トリガー基準は、所定の基準を満たす前記チャネル測定の結果を含む、請求項６〜１０のいずれか１つに記載の方法。
【請求項１２】
前記アップリンクメッセージが前記測定レポートを伝達するか否かに応じて、前記ランダムアクセス手順のダウンリンクメッセージと前記アップリンクメッセージの間の時間間隔を設定する工程をさらに含む、請求項６〜１１のいずれか１つに記載の方法。
【請求項１３】
前記時間間隔は前記通信ネットワークにより設定される、請求項１２に記載の方法。
【請求項１４】
前記アップリンクメッセージは、アップリンクデータをさらに伝達し、
前記測定レポートは、前記アップリンクデータに差し込まれる、又は前記アップリンクデータに付加される、請求項１〜１３のいずれか１つに記載の方法。
【請求項１５】
前記アップリンクメッセージは、アップリンクデータをさらに伝達し、
前記アップリンクデータに基づいて、所定のテーブルからトランスポートブロックサイズを選択する工程と、
前記トランスポートブロックの部分を前記測定レポートに、前記トランスポートブロックのさらなる部分を前記アップリンクデータに割り当てる工程と、
をさらに含む、請求項１〜１４のいずれか１つに記載の方法。
【請求項１６】
前記チャネル測定は、前記無線リンクのチャネル帯域幅の部分として定義された前記無線リンクのナローバンドにおいて実行される、請求項１〜１５のいずれか１つに記載の方法。
【請求項１７】
前記ランダムアクセス手順のダウンリンクメッセージは、前記ナローバンド上で受信される、請求項１６に記載の方法。
【請求項１８】
前記ナローバンドは、前記通信ネットワークにより構成される、請求項１６又は１７に記載の方法。
【請求項１９】
前記ランダムアクセス手順のダウンリンクメッセージの複数回繰り返しを受信する工程と、
前記複数回繰り返しの前記受信を完了する前に、初期の復号の試みを実行する工程と、をさらに含み、
前記チャネル測定は、前記初期の復号の試みの結果に基づいて実行される、
請求項１〜１８のいずれか１つに記載の方法。
【請求項２０】
前記測定レポートは、基準信号受信電力（Reference  Signal  Received  Power：ＲＳＲＰ）、基準信号受信品質（Reference  Signal  Received  Quality：ＲＳＲＱ）、チャネル品質標示（Channel  Quality  Indication：ＣＱＩ）、及びカバレッジ拡張繰り返しの数の少なくとも１つを含む、請求項１〜１９のいずれか１つに記載の方法。
【請求項２１】
前記標示は、前記測定レポートを伝達する前記アップリンクメッセージを前記無線通信装置が送信することができるか否かを示す、請求項１〜２０のいずれか１つに記載の方法。
【請求項２２】
通信ネットワークのネットワークノードを動作させる方法であって、
前記通信ネットワークにアクセスする無線通信装置のランダムアクセス手順の一部として、前記無線通信装置によって実行される無線リンクのチャネル測定の測定レポートを伝達するアップリンクメッセージを、前記無線通信装置から受信する工程と、
前記無線通信装置から、前記アップリンクメッセージが前記測定レポートを伝達するか否かに関する標示を取得する工程と、
前記標示に従って前記アップリンクメッセージを処理する工程と、を含む方法。
【請求項２３】
前記アップリンクメッセージの前記処理は、
前記アップリンクメッセージの少なくとも２つの所定のトランスポートブロック構成に従った、前記アップリンクメッセージのブラインド復号をさらに含み、
前記少なくとも２つの所定のトランスポートブロック構成のうちの第１の構成は、前記測定レポートを伝達する前記アップリンクメッセージに対応付けられ、前記少なくとも２つの所定のトランスポートブロック構成のうちの第２の構成は、前記測定レポートを伝達しない前記アップリンクメッセージに対応付けられている、請求項２２に記載の方法。
【請求項２４】
無線通信装置であって、
前記無線通信装置と通信ネットワークのネットワークノードの間の無線リンクのチャネル測定を実行し、
前記通信ネットワークにアクセスするためのランダムアクセス手順の一部として、前記チャネル測定の測定レポートを伝達するアップリンクメッセージを前記ネットワークノードに送信し、
前記ネットワークノードに、前記アップリンクメッセージが前記測定レポートを伝達するか否かに関する標示を提供するように構成される、無線通信装置。
【請求項２５】
前記無線通信装置は、請求項１〜２１のいずれか１つに記載の方法を実行するように構成される、請求項２４に記載の無線通信装置。
【請求項２６】
通信ネットワークのネットワークノードであって、
前記通信ネットワークにアクセスする無線通信装置のランダムアクセス手順の一部として、前記無線通信装置によって実行される前記無線リンクのチャネル測定の測定レポートを伝達するアップリンクメッセージを、前記無線通信装置から受信し、
前記無線通信装置から、前記アップリンクメッセージが前記測定レポートを伝達するか否かに関する標示を取得し、
前記標示に従って前記アップリンクメッセージを処理するように構成される、ネットワークノード。
【請求項２７】
請求項２２又は２３に記載の方法を実行するように構成される、請求項２６に記載のネットワークノード。
【請求項２８】
無線通信装置及び通信ネットワークのネットワークノードを備えるシステムであって、
前記無線通信装置は、
前記無線通信装置と前記ネットワークノードの間の無線リンクのチャネル測定を実行し、
前記通信ネットワークにアクセスするためのランダムアクセス手順の一部として、前記チャネル測定の測定レポートを伝達するアップリンクメッセージを前記ネットワークノードに送信し、
前記ネットワークノードに、前記アップリンクメッセージが前記測定レポートを伝達するか否かに関する標示を提供するように構成され、
前記ネットワークノードは、
前記アップリンクメッセージを受信し、
前記標示を取得し、
前記標示に従って前記アップリンクメッセージ（６００３）を処理するように構成される、システム。
【国際調査報告】
2021533685.tif 000014
2021533685.tif 000015
2021533685.tif 000016